【手続補正書】
【提出日】平成23年8月12日(2011.8.12)
【手続補正１】
【補正対象書類名】特許請求の範囲
【補正対象項目名】全文
【補正方法】変更
【補正の内容】
【特許請求の範囲】
【請求項１】
（ａ）加水分解的な縮合によって形成され、大きさが５〜２０ｎｍの範囲の、第１の酸化物粒子、
（ｂ）大きさが、８０〜３００ｎｍの範囲の第２の粒子、
（ｃ）加水分解的な縮合によって形成される酸化物粒子のための原料が溶解可能であり及びその加水分解及び縮合が許容され又は促進される第１の水性溶媒、及び
（ｄ）以下の式、
ＲＯＨ
ＲＯＲ１，
ＲＣＯＯＨ
ＲＣＯＯＲ１
ＲＣ（Ｏ）Ｒ１及び
ＲＣＯＮＲ２２，
のアルコール、エーテル、有機酸、エステル、ケトン、アミン、及び酸アミド、及びこれらの混合物から選ばれる、少なくとも１種の第２の溶媒、
但し、ＲとＲ１は、適宜、同一又は異なって良く、及び無置換の、又はヒドロキシ、−ＮＨＲ２、アミド、イミノ、−ＣＯＯＲ２及び／又はアルコキシカルボニルで置換された、飽和又は不飽和の直鎖の又は枝分かれしたアルキル、アルコキシ又はポリエーテルアルコキシを意味し、又はＲとＲ１は、無置換の又はヒドロキシ、−ＮＨＲ２、アミド、イミノ、−ＣＯＯＲ２及び／又はアルコキシカルボニルで置換された、飽和又は不飽和の、直鎖の又は、枝分かれしたアルキレン−、オキシアルキレン−又はアルキレン（ポリ）オキシアルキレン基の形成下に、環を形成して相互に結合されており、但し、溶媒が式ＲＯＨのものに該当する場合には、Ｒが無置換のアルキルではなく、
及びＲ２が、適宜、同一又は異なり、及びＨ又はＣ１−〜Ｃ６−アルキルを意味する、
を含むことを特徴とする被覆材料。
【請求項２】
加水分解的な縮合によって得られる第１の粒子が、加水分解可能な及び縮合可能なシランから、及び／又はヒドロキシド及び／又は周期表の主族及び遷移金属の２−、３−、４−、又は５価のイオンのアルコキシドから得られることを特徴とする請求項１に記載の被覆材料。
【請求項３】
第１の粒子が、マグネシウム、カルシウム、硼素、アルミニウム、珪素、ゲルマニウム、錫、チタン又はジルコニウム又はこれらの混合物の（半−）金属化合物、及び好ましくは３−及び／又は４価の（半−）金属化合物の金属化合物から得られることを特徴とする請求項１又は２に記載の被覆材料。
【請求項４】
第１の粒子が、部分的に、又は全部が、シランテトラ−又は−トリアルコキシドから得られることを特徴とする請求項２又は３に記載の被覆材料。
【請求項５】
第１の粒子が、孔を有し、該孔は、孔径−分布の最大値が６ｎｍ以下、好ましくは１．５〜４ｎｍの範囲であることを特徴とする請求項１〜４の何れか１項に記載の被覆材料。
【請求項６】
第２の粒子が、酸化物粒子であることを特徴とする請求項１〜５の何れか１項に記載の被覆材料。
【請求項７】
第２の粒子が、純粋な酸化物又は酸化物の混合物から、又は純粋な酸化物の粒子の混合物から成り、この、又はこれらの酸化物は、好ましくはＡｌ２Ｏ３、ＳｉＯ２及びＴｉＯ２から選ばれることを特徴とする請求項６に記載の被覆材料。
【請求項８】
第２の粒子が、実質的に球状であり、及び／又は平均径が、１００〜１５０ｎｍの範囲、好ましくは１００ｎｍの範囲であることを特徴とする請求項１〜７の何れか１項に記載の被覆材料。
【請求項９】
第２の溶媒のための式の中の基Ｒが、１〜１０個の炭素原子を有し、及びポリエーテルアルコキシ基又はアルキレンポリオキシアルキレン基を含む場合、これらの基は、２つ又は３つのアルキレンオキシド単位を有することを特徴とする請求項１〜８の何れか１項に記載の被覆材料。
【請求項１０】
第２の溶媒がアルコキシアルコール及びポリアルコキシアルコールから選ばれることを特徴とする請求項９に記載の被覆材料。
【請求項１１】
被覆物が施された基礎部であって、
前記被覆物が少なくとも２種の粒子−部分から構成され、
第１の部分の粒子が、その大きさを、５〜２０ｎｍの範囲に有し、及第２の部分の粒子が、その直径を、８０〜３００ｎｍの範囲に有し、第２の部分の粒子は、この粒子のケーゲルからケーゲルまでを測定した間隔を、相互に、平均して２０〜２００ｎｍの範囲に有し、及び第１の部分の粒子が、所定の孔径分布を有する孔を有し、該孔径分布の最大値が１〜６ｎｍの範囲であることを特徴とする被覆物が施された基礎部。
【請求項１２】
第２の粒子−部分が、粒子を、１００ｎｍ〜２００ｎｍの範囲に有していることを特徴する請求項１１に記載の被覆物が施された基礎部。
【請求項１３】
第１の粒子−部分の粒子が酸化物粒子であり、好ましくは、周期表の主族及び遷移金属の２−、３−、４−、又は５価のイオンの酸化物から選ばれることを特徴とする請求項１１又は１２に記載の被覆物が施された基礎部。
【請求項１４】
第１の粒子−部分の粒子が、完全に、又は主に、適宜有機的に変性された二酸化珪素から成ることを特徴とする請求項１３に記載の被覆物が施された基礎部。
【請求項１５】
第２の粒子−部分の粒子が、アルミニウム、珪素、ゲルマニウム、錫、ジルコニウム及びチタンから選ばれる、純粋な酸化物、又は混合した酸化物から成ることを特徴とする請求項１１〜１４の何れか１項に記載の被覆物が施された基礎部。
【請求項１６】
第１の部分の粒子が、少なくとも被覆物の表面で、５〜２０ｎｍの平均間隔を相互に有することを特徴とする請求項１１〜１５の何れか１項に記載の被覆物が施された基礎部。
【請求項１７】
請求項１〜１０の何れか１項に記載された被覆材料から製造された、請求項１１〜１６の何れか１項に記載の被覆物が施された基礎部。
【請求項１８】
基礎部が、ガラス、好ましくは板ガラス又は管ガラス、及び特に好ましくは光起電力モジュール又は温水コレクターを被覆するための板ガラス、又はソーラー温水発生器のための管ガラスであることを特徴とする請求項１１〜１７の何れか１項に記載の被覆物が施された基礎部。
【請求項１９】
以下の工程：
（ｉ）加水分解可能な、及び縮合可能なシラン及び／又はヒドロキシド、及び／又は周期表の主族及び遷移金属の２−、３−、４−、又は５価のイオンのアルコキシドから選ばれる少なくとも１種の化合物を準備する工程、
（ｉｉ）工程（ｉ）で得られた１種以上の化合物を請求項１の（ｃ）に記載の第１の溶媒に溶解させ、これにより、前記１種以上の化合物を加水分解的に縮合させる工程、
（ｉｉｉ）工程（ｉｉ）の加水分解的な縮合の間、又は後に、平均径が８０〜３００ｎｍの第２の粒子を、請求項１の（ｃ）に記載の溶媒に加える工程、
（ｉｖ）工程（ｉｉ）の加水分解的な縮合の間、又は後に、及び、第２の粒子を加える前、又は第２の粒子と一緒に、又は第２の粒子を加えた後に、請求項１の（ｄ）に記載の第２の溶媒を加える工程、
を有することを特徴とする請求項１〜１０の何れか１項に記載の被覆材料を製造する方法。
【請求項２０】
以下の工程：
（ｉ）基礎部に、請求項１〜１０の何れか１項に記載の被覆材料を施す工程、
（ｉｉ）被覆材料を、室温〜６００℃の範囲の温度で、乾燥／調整する工程、
を有することを特徴とする請求項１１〜１８の何れか１項に記載の被覆された基礎部を製造する方法。
【請求項２１】
基礎部が、ガラス製の基礎部であることを特徴とする請求項２０に記載の方法。
【請求項２２】
被覆材料が、約５〜４０分、約５５０℃で乾燥され、及び調整されることを特徴とする請求項２０又は２１に記載の方法。
【請求項２３】
請求項１〜１０の何れか１項に記載の被覆材料を、基礎部を所定の被覆物で被覆するために使用する方法であって、前記被覆物は、埃とエアロゾルから守り、及び付着性の無機性及び有機性の汚れを、雨水で浄化できる被覆物であることを特徴とする方法。
【請求項２４】
前記基礎部が、ガラス、好ましくは板ガラス又は管ガラス、及び特に好ましくは光起電力モジュール又は温水コレクターを被覆するための板ガラス、又はソーラー温水発生器のための管ガラスであることを特徴とする請求項２３に記載の方法。
【手続補正２】
【補正対象書類名】明細書
【補正対象項目名】００１０
【補正方法】変更
【補正の内容】
【００１０】
上述した課題は、
（ａ）加水分解的な縮合（凝縮）によって形成され、大きさが５〜２０ｎｍの範囲の、酸化物粒子、
（ｂ）大きさ（直径）が、８０〜３００ｎｍの範囲の粒子（該粒子は、酸化物粒子であることが好ましいが、その必要はない）、
（ｃ）加水分解的な縮合によって形成される粒子のための原料が溶解可能であり及びその加水分解と縮合が許容され又は促進される第１の水含有溶媒、
（ｄ）以下の式、
ＲＯＨ
ＲＯＲ１，
ＲＣＯＯＨ
ＲＣＯＯＲ１
ＲＣ（Ｏ）Ｒ１及び
ＲＣＯＮＲ２２，
のアルコール、エーテル、有機酸、エステル、ケトン、アミン、及び酸アミドの下に選ばれる、第２の溶媒、
但し、ＲとＲ１は、適宜、同一又は異なって良く、及び無置換の、又はヒドロキシ、−ＮＨＲ２、アミド、イミノ、−ＣＯＯＲ２及び／又はアルコキシカルボニルで置換された、飽和又は不飽和の直鎖の又は枝分かれしたアルキル、アルコキシ又はポリエーテルアルコキシを意味し、そして好ましくは１〜３種のアルキレンオキシド単位及び好ましくは全部で１〜１０個の炭素原子を有し、又はＲとＲ１は、無置換の又はヒドロキシ、−ＮＨＲ２、アミド、イミノ、−ＣＯＯＲ２及び／又はアルコキシカルボニルで置換された、飽和又は不飽和の、直鎖の、又は枝分かれしたアルキレン−、オキシアルキレン−又はアルキレン（ポリ）オキシアルキレン基の形成下に、環を形成して相互に結合されており、但し、溶媒が式ＲＯＨのものに該当する場合には、Ｒが無置換のアルキルではなく、及びＲ２が、適宜、同一又は異なって良く、及びＨ又はＣ１−〜Ｃ６−アルキルを意味し、及び、上述した加水分解的な縮合のための原料の原料（出発材料）の錯体化又はキレート化が、小さい方の粒子（より小さい粒子）を生じさせ、及び／又は原料ないしそれ自身で形成される粒子の軽度〜中程度の溶媒和及び／又はペプタイズを生じさせるか、又は支持（サポート）可能であることを特徴とする被覆材料によって解決可能であり、そしてこのことは驚くべきことであった。